(57)【特許請求の範囲】
【請求項１】
記録装置に対して着脱自在とされ、複数枚の用紙を重積して収納し得るトレイ本体と、
前記トレイ本体内の底部に配設され、収納された用紙の給紙方向下流側を前記記録装置内に配設された給紙ローラに対して圧接させるべく揺動可能とされたトレイプレートと、
前記トレイ本体の上面の一部を覆う天板を備えた蓋体と、
を有する給紙トレイであって、
前記蓋体と前記トレイ本体には、前記蓋体と前記トレイ本体のいずれか一方に形成された係合凸部と、他方に形成され、前記係合凸部が係合し、かつ、スライド移動可能に形成された係合溝部とからなる、対となる係止部が設けられており、
前記天板は、該給紙トレイの記録装置への装着時に前記記録装置外へ延出する前記トレイ本体の上面における給紙方向上流側全域を覆うように形成されており、
前記蓋体は、前記係合凸部を前記係合溝部に係合ロックさせることによって前記天板が前記トレイ本体の上面における給紙方向上流側を覆った閉状態を保持したまま、前記係合凸部の前記係合溝部内における位置を変化させることによって前記用紙の積層方向へ移動可能に前記トレイ本体に取付けられていることを特徴とする給紙トレイ。
【請求項２】
前記蓋体は、前記天板の下面に用紙の給紙方向に延在させて垂設された側板の用紙の給紙方向上流側部分を軸支させて前記トレイ本体に対し回動可能に配設され、
前記対となる係止部は、前記蓋体の回動に合わせて前記係合凸部が前記係合溝部内を用紙の積層方向にスライド移動可能に形成されていることを特徴とする請求項１に記載の給紙トレイ。
【請求項３】
前記蓋体の天板は、給紙方向下流側端辺が給紙方向に直交する直線状に形成されていることを特徴とする請求項１または請求項２に記載の給紙トレイ。
【発明の詳細な説明】
【技術分野】
【０００１】
本発明は、複数枚の用紙を積層して収納した状態で記録装置に装着され、給紙ローラによって前記用紙を記録装置の記録部へ供給するための給紙トレイに関する。
【背景技術】
【０００２】
一般に、前記給紙トレイは、内側に複数枚の用紙を重積して収納し得るように、上面に開放部が形成された箱形のトレイ本体を有している。
【０００３】
このトレイ本体の内部には、用紙の後端位置を規制する後端位置決め板および用紙の側端面の位置を規制する可動側板が配設されている。また、トレイ本体の底壁における給紙方向下流側には、該給紙トレイの記録装置に対する装着時に、記録装置側に配設された用紙付勢部材が出入可能な開口が形成されている。
【０００４】
さらに、トレイ本体の底部には、用紙の給紙方向下流側を記録装置の給紙ローラに圧接させるべく揺動可能とされたトレイプレートが配設されている。前記トレイプレートは、トレイ本体内に積層収納される用紙の少なくとも給紙方向下流側に位置する先端側を載置させうる略矩形の薄板状に形成されている。そして、前記トレイプレートは、前記給紙方向の下流側に位置する先端側を上方へ回動可能となるように、その後端側が、前記開口よりも紙送り方向上流側における前記トレイ本体の底壁に支承されている。
【０００５】
またさらに、前記トレイ本体には蓋体が配設されている。前記蓋体は、該給紙トレイの記録装置に対する装着時に、記録装置の給紙ローラが対向配置されるトレイ本体の開放部部位（以下、この部位を給紙開放部という）を除いた領域を覆って固定される第１蓋体と、給紙トレイの記録装置に対する離脱時に、給紙開放部を覆うように固定され、第１蓋体と相俟って開放部の全域を覆うように形成された第２蓋体とを有している。なお、給紙開放部は、トレイ本体の開放部における給紙方向下流側とされている。
【０００６】
そして、このような従来の給紙トレイにおいては、トレイ本体の内部の表面に用紙を重積して載置し、蓋体（第１蓋体）により、トレイ本体の給紙開放部を除いた領域を覆って収納する。次に、給紙開放部が形成された端部側を記録装置の一側方へ装着させる（給紙トレイは、記録装置の外方へ延出して片持ち状に支持される）と、給紙モータの駆動により、前記開口からトレイ本体内に用紙付勢部材が挿入される。すると、トレイプレートがこの用紙付勢部材によってその後端側を揺動軸として先端側を上方へ向けて回動しつつ付勢され、前記給紙開放部において該トレイプレートに載置された用紙を介して給紙ローラに圧接され、これにより、最上部に位置する用紙が給紙ローラの下方に圧接される。そして、この状態で、給紙ローラを回転駆動させると、この給紙ローラと用紙との摩擦力により、用紙のうち最上部に位置する用紙のみが下方の用紙と分離され、トレイ本体から記録装置の印字位置に向かって送出（給紙）されるようになっている（特許文献１参照）。
【先行技術文献】
【特許文献】
【０００７】
【特許文献１】特開２００２−３３２１２６号公報
【発明の概要】
【発明が解決しようとする課題】
【０００８】
ここで、一般に、印刷面となる表面を内側にして大径の用紙ロール状に巻回された大幅のロール紙を繰り出しつつ所定寸法の単紙に断裁して形成された用紙は、保存状態等によって、ロール状に巻回されていた時の曲がり方向（ロール紙の長手方向）へカールし易い傾向がある。
【０００９】
そして、前述のような複数枚の用紙を積層して収納した状態で記録装置に装着され、蓋体が固定して配設される従来の給紙トレイにおいては、トレイ本体内の深さ寸法が不可変である以上、このようなカールが発生した用紙を収納する際には、そのカールの立上り寸法に相当する枚数分を間引き、所定の収納枚数よりも少ない枚数を収納しなければならなかった。例えば、１８枚１組でパッキングされている厚めの用紙にカールが発生しているような場合に、カールが発生していなければ、図６（ａ）に示すように全枚数を収納可能な給紙トレイであっても、その用紙にカールが生じていると、図６（ｂ）に示すように、そのカールの立上り寸法に相当する分だけ枚数分を間引かなければならないし、あるいは、用紙を間引くことなく用紙のカールを押さえつけるようにして蓋体をむりやりトレイ本体に固定した場合には、蓋体と搬送される用紙との摺動摩擦が大きくなり、良好な給紙が行えず、無搬送状態等の給紙エラーの原因となることがあった。
【００１０】
また、常に同じ枚数の用紙が収納可能となるように、トレイ本体の深さ寸法に余裕を持たせて大きく設計すれば、自ずと給紙トレイは大きなものとなり、記録装置の小型化・薄型化のニーズに反するものとなる。
【００１１】
さらには、記録に供される用紙が幅方向に反ってカールする場合、用紙の幅方向において部分的に蓋体（第１蓋体）の裏側や給紙開放部側の端辺に当接したり、摺接することで、安定した用紙の搬送が阻害されることがあるため、例えば、記録に供される用紙としてその幅方向における中央部よりも両側部が印刷面方向（表面）へ反り上がってカールし易い用紙を使用することが見込まれる記録装置の給紙トレイにおいては、蓋体の前記開放部側端辺を、平面視において、幅方向における両側部を中央部よりも反開放部側へ漸次後退させた曲線状とし、カールが生じた用紙の両側部の蓋体に対する当接（摺接）を低減させる逃げ部（強摺接回避部）を形成することで、用紙が蓋体に当接して用紙の搬送の阻害原因となることを防止していた。
【００１２】
しかしながら、このように蓋体に逃げ部が形成された給紙トレイは、記録装置に装着された状態において前記逃げ部が記録装置外に位置していると、そこから給紙トレイ本体内にゴミや埃など（以下、ゴミ等という）が混入し易かったり、その逃げ部に露呈する収納された用紙が陽に焼けて変色してしまうといった問題点を有していた。さらに、用紙にゴミ等が付着した状態で印刷が実行されると、その印刷結果が良好ではなくなるのみならず、ゴミ等がサーマルヘッドに付着してサーマルヘッドを破損させることも懸念される。
【００１３】
本発明の給紙トレイは、このような従来の給紙トレイにおける問題点に鑑みて発明されたものであり、幅方向のカールの有無に拘わらず、用紙の安定した搬送供給が可能であり、しかも、給紙トレイの厚さ寸法を大きくせずに、カールが発生した用紙であてもカールが発生しない状態におけるその用紙の収納可能枚数を収納して記録に供することができ、さらには、記録装置に装着した状態でのゴミ等の混入や、露呈する用紙の日焼けなどを防止することができる給紙トレイを提供することを目的とするものである。
【課題を解決するための手段】
【００１４】
前述した目的を達成するため、本発明に記載の給紙トレイは、記録装置に対して着脱自在とされ、複数枚の用紙を重積して収納し得るトレイ本体と、前記トレイ本体内の底部に配設され、収納された用紙の給紙方向下流側を前記記録装置内に配設された給紙ローラに対して圧接させるべく揺動可能とされたトレイプレートと、前記トレイ本体の上面の一部を覆う天板を備えた蓋体と、を有する給紙トレイであって、前記蓋体と前記トレイ本体には、前記蓋体と前記トレイ本体のいずれか一方に形成された係合凸部と、他方に形成され、前記係合凸部が係合し、かつ、スライド移動可能に形成された係合溝部とからなる、対となる係止部が設けられており、前記天板は、該給紙トレイの記録装置への装着時に前記記録装置外へ延出する前記トレイ本体の上面における給紙方向上流側全域を覆うように形成されており、前記蓋体は、前記係合凸部を前記係合溝部に係合ロックさせることによって前記天板が前記トレイ本体の上面における給紙方向上流側を覆った閉状態を保持したまま、前記係合凸部の前記係合溝部内における位置を変化させることによって前記用紙の積層方向へ移動可能に前記トレイ本体に取付けられていることを特徴とする。
【００１５】
より具体的には、前記蓋体は、前記天板の下面に用紙の給紙方向に延在させて垂設された側板の用紙の給紙方向上流側部分を軸支させて前記トレイ本体に対し回動可能に配設され、前記対となる係止部は、前記蓋体の回動に合わせて前記係合凸部が前記係合溝部内を用紙の積層方向にスライド移動可能に形成されていることを特徴とする。
【００１６】
また、前記蓋体の天板は、給紙方向下流側端辺が給紙方向に直交する直線状に形成されていることを特徴とする。
【発明の効果】
【００１７】
本発明の給紙トレイは、蓋体が、トレイ本体の上面を被覆する閉状態において、トレイ本体から離間する方向（用紙の積層方向。以下同じ）へ移動可能に取付けられているので、記録に供される用紙が幅方向に反ってカールしてしまい、カールが発生しない状態におけるその用紙の収納可能枚数であるにも拘わらず、トレイ本体内に収まりきらないような場合であっても、トレイ本体から離間する方向へ移動することで、カールが発生しない状態におけるその用紙の収納可能枚数乃至それにできるだけ近い枚数を収納して記録に供することができる。
【００１８】
そして、用紙は、その幅方向にカールが発生しているものであっても、給紙トレイが記録装置にセットされ、トレイ本体内の底部に配設されたトレイプレートが、その給紙方向下流側を記録装置内に配設された給紙ローラに対して圧接させるように揺動する際に、蓋体によって覆われていないトレイ本体の上面における給紙方向下流側において、給紙ローラとトレイプレートの間に挟持されることで、その幅方向に発生していたカールは延伸されて解消し、カールの発生していない通常の用紙と同様に記録に供されるべく、搬送される。
【００１９】
その際、蓋体がトレイ本体から離間する方向へ移動することで、搬送される用紙と蓋体との摺接摩擦が原因で給紙に支障を来すことを、少なくとも蓋体がトレイ本体に固定配設されている場合と比して、効果的に防止することができる。
【００２０】
このように、本発明の給紙トレイによれば、幅方向のカールの有無によらず、用紙の安定した搬送供給が可能であり、しかも、給紙トレイの厚さ寸法を大きくせずに、上記問題を解決することができる。
【００２１】
具体的には、蓋体をトレイ本体に対し、用紙の給紙方向上流側を軸支させて回動可能に配設し、トレイ本体の上面を被覆する閉状態において蓋体とトレイ本体とを係合ロックさせるための対の係止部を、係合溝部とこれに係合する係合凸部であって、前記蓋体の回動に合わせて係合凸部が係合溝部内を用紙の積層方向にスライド移動可能に形成することによって、前記天板が前記トレイ本体の上面における給紙方向上流側を覆った閉状態を保持したまま、その係合状態を調整することができ、前述の効果を奏する給紙トレイを実現することができる。
【００２２】
そして、このようにして、蓋体との摺接摩擦が原因で給紙に支障を来すことを有効に防止することができる構成とした給紙トレイは、該給紙トレイの記録装置への装着時に記録装置外へ延出するトレイ本体の上面における給紙方向上流側全域を覆うように形成されている天板に、従来の給紙トレイのような逃げ部を形成する必要がなくなり、天板の給紙方向下流側端辺を給紙方向に直交する直線状に形成することが可能となる。
【００２３】
このように蓋体の天板に逃げ部が形成されていない給紙トレイは、給紙トレイ本体内にゴミ等が混入することを有効に防止することができ、また、給紙トレイが記録装置に装着された状態において、給紙トレイに収納された用紙が陽に曝されることも無いので、用紙の日焼けによる変色も確実に防止することが可能となる。さらには、天板の給紙方向下流側端辺を給紙方向に直交する直線状に形成することで、仮に、搬送される用紙がこの給紙方向下流側端辺に摺接する場合であっても、用紙の幅方向において略等しく蓋体が摺接することとなるため、用紙の斜行等も防止することができるといった効果を奏する。
【図面の簡単な説明】
【００２４】
【図１】本実施形態の給紙トレイにおいて、第１蓋体が通常位置において上面を覆った状態を示す説明図であり、（ａ）は平面図、（ｂ）は正面図、（ｃ）は（ａ）のｃ−ｃ断面図、（ｄ）は（ａ）のｄ−ｄ断面図、（ｅ）は（ｄ）の要部拡大図
【図２】本実施形態の給紙トレイにおいて、第１蓋体が押し上げられ、天板が回動した位置においてトレイ本体の上面を覆った状態を示す説明図であり、（ａ）は平面図、（ｂ）は正面図、（ｃ）は（ａ）のｃ−ｃ断面図、（ｄ）は（ａ）のｄ−ｄ断面図、（ｅ）は（ｄ）の要部拡大図
【図３】本実施形態の給紙トレイの第１蓋体トレイ本体の平面図
【図４】本実施形態の給紙トレイの第１蓋体の側面図
【図５】（ａ）は給紙トレイのプリンタへの装着状態を示す要部断面図、（ｂ）はその部分拡大図
【図６】（ａ）は従来の給紙トレイに収容可能枚数の通常の用紙を収容した状態を示す説明図、（ｂ）は従来の給紙トレイに収容可能枚数のカールが発生した用紙を収容した状態の問題点の説明図
【発明を実施するための形態】
【００２５】
以下、本発明の給紙トレイについて、図１乃至図５に基づいて説明する。
【００２６】
本実施形態の給紙トレイ１は、図１（ａ）、図２（ａ）および図５（ａ）において矢印にて示す給紙方向に用紙Ｐを送出し得るものであり、その一面に複数枚の用紙Ｐを重積して載置し得る略平板状のトレイ本体２を有している。
【００２７】
このトレイ本体２は、図３に示すように、表面が用紙Ｐを載置するための用紙載置面とされた略平板状の底板４を有している。底板４の内表面には、略矩形の薄板状とされたトレイプレート５が、給紙方向上流側に位置することとなる後端辺側を揺動軸として給紙方向下流側に位置する先端側を底板４から離間するように揺動可能、且つ、自由状態に配設されている。この揺動軸として機能する機構については、公知の機構を用いればよいので、その説明は省略する。
【００２８】
また、トレイプレート５はその給紙方向先端部をトレイ本体２の底板４の給紙方向先端部近傍に沿わせるようにして配置されており、トレイプレート５の給紙方向先端辺には、その幅方向中央から左右の線対称位置にそれぞれ矩形状の切欠き６，６が形成され、その切欠き６，６から底板４を露出させている。この露出する底板４の部分は、トレイ本体２を記録装置３４に装着するための装着部として作用することとなる。
【００２９】
一方、２つの切欠き６，６により分断され、櫛形に形成されたトレイプレート５の先端辺部分には、底板４に収納される用紙Ｐの裏面先端部が積層され、給紙時において用紙摩擦部として作用するように構成されている。前記トレイプレート５は、その全体を用紙Ｐとの関係における摩擦係数の高い、剛性を有する素材で構成してもよい。
【００３０】
また、底板４の給紙方向に対して直交する方向（以下、幅方向という）の両側には、給紙方向下流側に位置する左右１対の第１側板７ａ，７ａと、これに連接させて給紙方向上流側に形成された左右１対の第２側板７ｂ，７ｂが、それぞれ底板４から直立させて配設されている。
【００３１】
そして、トレイ本体２の第２側板７ｂ，７ｂより内側には、略平板状に形成された左右１対の紙側面ガイド部材８，８が、底板４から直立し、その給紙方向下流側を第１側板７ａ，７ａに連接させるようにして配設されている。この紙側面ガイド部材８，８は、記録に供される用紙Ｐの両側端の位置をガイドするためのものであり、その長手方向が給紙方向と平行に延在するようにして配設されている。
【００３２】
本実施形態において、図３中、給紙方向左側に形成された一方の紙側面ガイド部材８には、用紙Ｐの一側端に当接して、その側端を正確に位置決めする位置決め調整部材９としての凸部９ａが形成されている。また、給紙方向右側となる他方の紙側面ガイド部材８には、用紙Ｐの他側端に当接して凸部９ａ側へ押し付ける、位置決め調整部材９としての板ばね９ｂが配設されている。
【００３３】
また、底板４の左右両側方にそれぞれ配設された第２側板７ｂと紙側面ガイド部材８との間隙部分は、後述する第１蓋体１７ａの側板２１が収納される蓋体収納部１０とされている。蓋体収納部１０の給紙方向上流側は解放端とされており、この解放端近傍の第２側板７ｂ，７ｂには、蓋体収納部１０内に突出し、後述する第１蓋体１７ａをトレイ本体２から離間する方向（上方向）に回動させる際に回動軸として機能するピン１１が形成されている。
【００３４】
なお、本実施形態において、第１側板７ａには、後述する第２蓋体（図示省略）に形成されたロック部材が係合されるロック部材係合部２５が形成されている。
【００３５】
また、底板４の給紙方向下流側端辺には、端板１２が底板４から直立させて配設されており、この端板１２における左右の端部近傍には、底板４の装着部とトレイプレート５の用紙摩擦部とを露出させる切欠き１３，１３が形成されている。さらに、両切欠き１３，１３間となる端板１２の中央部には、底板４に形成された用紙付勢用の開口１４と連続形成された切欠き１５が形成されている。換言すれば、トレイプレート５が配設される底板４の幅方向中央部には、底板４の給紙方向略中央部から給紙方向下流側端辺にまで至る開口１４が、端板１２に形成された切欠き１５と連続するように形成されており、給紙時には、図５に示すように、給紙トレイ１内に積層された用紙Ｐをトレイプレート５ごと、記録装置３４内の給紙ローラ３６側へ押しつけるべく、記録装置３４に配設された用紙付勢部材３５が位置して動作可能とされている。よって、この開口１４が形成された部分の端板１２の高さ寸法は、用紙付勢部材３５がトレイプレート５を押し上げ可能な高さ寸法とされており、給紙される用紙Ｐはこの端板１２の上方を給紙経路として、記録装置３４内の記録部へ給紙されることとなる。
【００３６】
また、底板４の用紙載置面で、トレイプレート５の配設位置より紙送り方向上流側には、その頂部をトレイプレート５の表面と略同位とする複数本の筋状の突起１６，１６…が給紙方向に延在するように形成されており、この突起１６，１６…上に用紙Ｐの後端側を支承することにより、トレイプレート５の上面と相俟って用紙Ｐを平行に載置できるようになっている。
【００３７】
また、本実施形態の給紙トレイ１は、トレイ本体２の上面における給紙方向上流側を覆う蓋体１７を有しており、給紙トレイ１の記録装置３４に対する装着時に、トレイ本体２の上面の開口の一部を覆うこととなる第１蓋体１７ａと、給紙トレイ１の記録装置３４に対する離脱時に、この第１蓋体１７ａと相俟って、トレイ本体２の上面の開口の全域を覆うこととなる第２蓋体（図示省略）とから構成されている。
【００３８】
本実施形態において、第１蓋体１７ａは、トレイ本体２の上面に用紙Ｐの搬送経路を確保すべく、トレイ本体２の上面における給紙方向上流側のみを覆う天板１９を有している。この天板１９は、その給紙方向中央部付近に、給紙方向の断面をなだらかな傾斜の円弧状とする突出部２０がその表面側に形成された略平板状とされ、該給紙トレイ１の記録装置３４への装着時に前記記録装置３４外へ延出することとなる、トレイ本体２の上面における給紙方向上流側全域を覆うように形成されている。そして、天板１９の裏面における幅方向の両側には、略平板状に形成された左右１対の側板２１，２１が天板１９から直立するようにして配設されている。また、天板１９の裏面の給紙方向上流側端辺には端板２２が、天板１９から直立し、かつ両側板２１，２１と連続するように配設されている。
【００３９】
そして、両側板２１，２１の給紙方向上流側端部近傍には、トレイ本体２の蓋体収納部１０に形成されたピン１１が摺動可能に係止される孔２１ａが形成されており、前記ピン１１を回動軸として第１蓋体１７ａをトレイ本体２から離間する方向に回動可能に構成されている。
【００４０】
また、記録装置３４に対する装着時にトレイ本体２の上面に用紙Ｐの搬送経路を確保でき、かつ、該記録装置３４外へ露出しないところに位置するように設計される、天板１９の給紙方向下流側の端辺１９ａが、本実施形態においては、給紙方向に直交する直線状に形成されている。このように、第１蓋体１７ａの天板１９の給紙方向下流側端辺に、従来の給紙トレイ１のような逃げ部を形成せず、給紙方向に直交する略直線状に形成することで、給紙トレイ本体２内にゴミ等が混入することや、給紙トレイ１が記録装置３４に装着された状態において、給紙トレイ１に収納された用紙Ｐが陽に曝され、日焼けによって変色するような不具合を確実に防止することができる。
【００４１】
ここで、本実施形態の給紙トレイ１において、第１蓋体１７ａは、トレイ本体２の上面を被覆する閉状態において、前記トレイ本体２から離間する上方向へ移動可能に、トレイ本体２に取付けられている。
【００４２】
詳しくは、第１蓋体１７ａおよびトレイ本体２にはそれぞれ、図１（ｄ）（ｅ）並びに図２（ｄ）（ｅ）に示すように、第１蓋体１７ａを回動させてトレイ本体２の上面を被覆する状態（閉状態）において、第１蓋体１７ａとトレイ本体２とを係合ロックさせるために対となる係止部３１が、その閉状態における係合状態を調整可能に形成されている。
【００４３】
より具体的には、第１蓋体１７ａには、両側板２１，２１の給紙方向下流側端部の先端（反基部）側に係止部３１として機能する係合凸部３１ａが外側方へ突出させて形成されている。なお、その形成位置の直上流側には、この側板２１，２１の高さ方向に延在して該側板２１，２１を区分する切込み３２が形成されている。
【００４４】
また、トレイ本体２の第２側板７ｂ，７ｂには、第１蓋体１７ａを蓋体収納部１０内に収納した際に、前記係合凸部３１ａが係合する係合溝部３１ｂが凹設されている。この係合溝部３１ｂは、図４（ｂ）に示すように、第１蓋体１７ａの回動に合わせて係合凸部３１ａが該係合溝部３１ｂ内をスライド移動可能に形成されている。つまり、第１蓋体１７ａを回動させてトレイ本体２の上面を被覆し、係合凸部３１ａが係合溝部３１ｂに係合したロック状態（閉状態）において、係合凸部３１ａの係合溝部３１ｂ内における位置を変化させることで、遊びにより係合ガタを発生させ、トレイ本体２の上面に対する第１蓋体１７ａの位置を調整可能に形成されている。
【００４５】
また、第１蓋体１７ａの突出部２０に対応する側板２１，２１の長手方向中央部付近には係止孔２０ａが形成されており、この係止孔２０ａに第２蓋体に形成されたピンを係止させ、第２蓋体をこのピンを回動軸として回動可能に支持するように構成されている。
【００４６】
なお、第２蓋体については図示を省略したが、この第２蓋体について簡単に説明すると、第２蓋体は、略平板状の天板を有しており、この天板の幅方向両側には、略平板状に形成された左右１対の側板が天板から直立するようにして配設されている。そして、この天板の裏面の、第２蓋体を閉ざした状態において給紙方向下流側となる端辺には端板が前記天板から直立し、かつ前記両側板と連続させて配設されている。
【００４７】
一方、第２蓋体を閉ざした状態において前記天板の給紙方向上流側となる端辺は解放端とされており、両側板が、この解放端から更に延在してこの第２蓋体の回動脚部を形成している。この回動脚部の先端近傍の内側には、第１蓋体１７ａに形成された係止孔２０ａに係合する前記ピンが形成されている。
【００４８】
さらに、前記第２蓋体の両側板の、第２蓋体を閉ざした状態における給紙方向下流側には、第２蓋体を閉ざし、第１蓋体１７ａ及び第２蓋体を以てトレイ本体２の上部開口を覆ったときに、トレイ本体２の第１側板７ａに形成されたロック部材係合部２５に係止するロック部材が形成されており、このロック部材とトレイ本体２の第１側板７ａに形成されたロック部材係合部２５とを係止させることで、第２蓋体（ひいては蓋体１７）をロック可能に形成されている。
【００４９】
次に、本実施形態の給紙トレイ１の作用・効果について説明する。
【００５０】
まず、このような構成の給紙トレイ１に用紙Ｐを積層収納する際には、トレイ本体２の底板４およびトレイプレート５上に用紙Ｐを載置し、前記第１蓋体１７をトレイ本体２の上部開口に被せ、係合凸部３１ａを係合溝部３１ｂに係合させてロックさせる（ロック状態）。
【００５１】
このロック状態とするとき、第１蓋体１７ａは、側板２１に形成された係合凸部３１ａが前記トレイ本体２の第２側板７ｂの先端辺に当接するので、第１蓋体１７ａの側板２１に形成された切込み部分３２より先端側を、天板との接合部となる基部３２ａを軸として撓ませつつ、係合凸部３１ａをトレイ本体２に形成された係合溝部３１ｂに係合させてロック状態（閉状態）とする。なお、図１は、第１蓋体１７ａの天板１９がトレイ本体２の通常位置において上面を覆った状態を示している（図中、用紙Ｐは省略）。
【００５２】
また、記録に供される用紙Ｐに幅方向のカールが発生している等を理由に、該給紙トレイ１の収容可能枚数の用紙Pではあっても、第１蓋体１７ａの天板１９を通常位置に位置させた状態で係合凸部３１ａを係合溝部３１ｂに係合させることが困難である場合には、それらの用紙Pを押さえ込むようにして第１蓋体１７ａでトレイ本体２の上面を被覆し、係合凸部３１ａを係合溝部３１ｂに係合させてロック状態とする。
【００５３】
そのとき、第１蓋体１７ａの裏面に用紙が当接すると、第１蓋体１７ａは、係合凸部３１ａを係合溝部３１ｂ内をスライドしつつ、給紙方向上流側の孔２１ａに軸挿されたピン１１を回動軸として給紙方向下流側をトレイ本体２から離間する方向（上方向）に回動して、この用紙Ｐによって押し上げられた状態で、前記ロック状態を保持する。図２は、第１蓋体１７ａが用紙Pにより押し上げられ、天板１９が回動した位置において上面を覆った状態を示している（図中、用紙Pは省略）。
【００５４】
このように、本実施形態の給紙トレイ１によれば、本実施形態の給紙トレイ１は、第１蓋体１７ａが、トレイ本体２の上面を被覆する閉状態においてトレイ本体２から離間する方向へ移動可能に取付けられているので、給紙トレイ１の厚さ寸法を大きくせずに、第１蓋体をトレイ本体２に固定する構成の従来の給紙トレイ１よりも確実に多くの枚数の用紙Ｐを収納することができる。
【００５５】
例えば、前述の例を用いて説明すれば、１８枚１組でパッキングされている厚めの用紙Ｐにカールが発生しているような場合であっても、、図２（ｂ）（ｃ）に示すように、第１蓋体１７ａが合凸部３１ａを係合溝部３１ｂ内をスライドさせつつ、給紙方向上流側の孔２１ａに軸挿されたピン１１を回動軸として給紙方向下流側を上方向に回動させることにより、給紙トレイ１の厚さ寸法を大きくしなくても、全枚数を収納することが可能となる。
【００５６】
そして、本実施形態の給紙トレイ１においては、第１蓋体１７ａがこのカールした用紙Ｐによって押し上げられたとしても、第２側板７ｂがトレイ本体２の側方に位置することで、トレイ本体２内にゴミ等が混入することを防止できる。
【００５７】
また、この給紙トレイ１を記録装置３４へ装着する際には、前記第２蓋体は、前記回動脚部に形成され、第１蓋体１７ａの側板２１の係止孔２０ａに係止されたピンを回動軸として、給紙方向上流側へ回動させ、その天板の表面を第１蓋体１７ａの天板１９の表面に対向させるようにして位置させておく。そして、トレイ本体２の給紙方向下流側の端板１２の切欠き１３部分から露出する前記装着部を、記録装置３４に形成されたトレイ装着部へ装着する。
【００５８】
用紙Ｐは、その幅方向にカールが発生しているものであっても、給紙トレイ１が記録装置３４にセットされ、給紙時に、用紙付勢部材３５が、基板４に形成された開口１４および端板１２に形成された切欠き１５内に位置して動作し、トレイ本体２内の底部に配設されたトレイプレート５が、その給紙方向下流側を記録装置３４内に配設された給紙ローラ３６に対して圧接させるように揺動する際に、第１蓋体１７ａによって覆われていない、前記トレイ本体２の上面における給紙方向下流側において、給紙ローラ３６とトレイプレート５との間に挟持されることで、その幅方向に発生していたカールが延伸される。
【００５９】
そして、給紙ローラ３６が回転駆動されることで、トレイプレート５ごと、給紙ローラ３６側へ押しつけられた用紙Ｐは、１枚ずつ、搬送方向下流側へ分離搬送される。
【００６０】
このとき、用紙Ｐに発生したカール等が原因で搬送される用紙Ｐが第１蓋体１７ａの裏面と摺接するようなことがあっても、第１蓋体１７ａがロック状態を維持しつつ、トレイ本体２から離間する方向へ移動することで、搬送される用紙Ｐと第１蓋体１７ａとの摺接摩擦を用紙Ｐの搬送に支障が無い程度に小さくすることができ、少なくとも第１蓋体１７ａがトレイ本体２に固定的に配設されていた従来の場合と比して、用紙Ｐの無搬送などのエラーの発生を効果的に防止し、用紙Ｐを安定して搬送供給することができる。
【００６１】
また、このように第１蓋体１７ａがロック状態を維持しつつ、トレイ本体２から離間する方向へ移動する構成としたことで、第１蓋体１７ａの天板１９の給紙方向下流側端辺に、従来の給紙トレイ１のような逃げ部を形成せず、給紙方向に直交する直線状に形成することが可能となり、仮に、搬送される用紙Ｐがこの給紙方向下流側端辺に摺接する（搬送に支障がない程度に）場合であっても、用紙Ｐの幅方向において略等しく摺接することとなるため、用紙Ｐの斜行等も防止することができる。
【００６２】
なお、本発明は、前述した実施の形態に限定されるものではなく、必要に応じて種々の変更が可能である。
【符号の説明】
【００６３】
１  給紙トレイ
２  トレイ本体
４  底板
５  トレイプレート
６  切欠き
７ａ  第１側板
７ｂ  第２側板
８  紙側面ガイド部材
９  位置決め部材
９ａ  凸部
９ｂ  板ばね
１０  蓋体収納部
１１  ピン
１２  端板
１３  切欠き
１４  （用紙付勢用）開口
１５  切欠き
１６  突起
１７  蓋体
１７ａ  第１蓋体
１９  天板
１９ａ  端辺
２０  突出部
２０ａ  係止孔
２１  側板
２２  端板
２５  ロック部材係合部
３１  係止部
３１ａ  係合凸部
３１ｂ  係合溝部
３２  切込み
３２ａ  基部
３４  記録装置
３５  用紙付勢部材
３６  給紙ローラ
Ｐ  用紙
【図１】
0005749517.tif 000002
【図２】
0005749517.tif 000003
【図３】
0005749517.tif 000004
【図４】
0005749517.tif 000005
【図５】
0005749517.tif 000006
【図６】
0005749517.tif 000007